(57)【要約】 【課題】足元の冷え過ぎを防止でき、且つ、居住者直近の局所環境を効率良く空調することができる床吹出空調システムを提供する。【解決手段】床２の床吹出口４に立設され、給気チャンバ３内の空調空気を室内１０に導入して局所を空調する筒状の吹出空調ユニット５を備える。吹出空調ユニット５は、空調空気を誘導する伸縮自在の給気ダクト６と、給気ダクト６の先端部に設けられた空調空気の吹出口７と、床の下面に取り付け可能であって、縮み状態の給気ダクト６を縦方向に収納する収納ケース８とで構成されている。【選択図】図１
2008032255.tif 000002
【特許請求の範囲】
【請求項１】
床と床スラブとの間の空間を給気チャンバとして利用し、空調機からの空調空気を前記床の床吹出口から吹き出して室内を空調する床吹出空調システムにおいて、
前記床吹出口に立設され、前記給気チャンバ内の空調空気を室内に導入して局所を空調する吹出空調ユニットを備え、
前記吹出空調ユニットは、空調空気を誘導する伸縮自在の給気ダクトと、当該給気ダクトの先端部に設けられた空調空気の吹出口と、前記床の下面に取り付け可能であって、縮み状態の前記給気ダクトを縦方向に収納する収納ケースとで構成されることを特徴とする床吹出空調システム。
【請求項２】
前記吹出口には、空調空気の風量と風向を調節する吹出調整機構が設けられていることを特徴とする請求項１に記載の床吹出空調システム。
【請求項３】
前記吹出口には、空調空気の吹出風量を補うファンが設けられていることを特徴とする請求項１または請求項２の何れかに記載の床吹出空調システム。
【請求項４】
前記収納ケースの上部開口に蓋が設けられ、且つ、当該蓋に通気孔が設けられていることを特徴とする請求項１から請求項３までの何れかに記載の床吹出空調システム。
【請求項５】
前記給気ダクトは、弾性部材により常時縮み状態に付勢されており、且つ、前記吹出口には、前記給気ダクトを什器に固定して伸張起立状態に保持する固定具が設けられていることを特徴とする請求項１から請求項４までの何れかに記載の床吹出空調システム。
【請求項６】
前記床は、複数のフロアパネルから成るＯＡフロアであることを特徴とする請求項１から請求項５までの何れかに記載の床吹出空調システム。
【請求項７】
前記床の全面に空調空気を吹き出す多数の吹出孔を有することを特徴とする請求項１から請求項６までの何れかに記載の床吹出空調システム。
【発明の詳細な説明】
【技術分野】
【０００１】
本発明は、床と床スラブとの間空間を空調用空気の給気チャンバとして利用し、床下から空調空気を吹出して室内を空調する床吹出空調システムに関し、特に、局所的な空調を可能とする床吹出空調システムに関するものである。
【背景技術】
【０００２】
近年、オフィス空間の情報化・ＯＡ化が進む中で、オフィス内の頻繁なレイアウト変更やＯＡ機器の増加による発熱対策等にスムーズに対応して便利で快適なオフィス空間を確保するものとして、空調機からの空気（冷気、暖気）をＯＡフロアから吹き出して室内を空調する床吹出空調システムが注目されている。
【０００３】
このような床吹出空調として、空調空気をＯＡフロアの適所に設けられた床吹出口から吹き出して室内を空調するグリルタイプ（例えば、特許文献１）と、空調空気をＯＡフロアの全面に設けられた多数の吹出孔より吹き出して室内を空調する全面床吹出タイプ（例えば、特許文献２）とが知られている。
【０００４】
前者のグリルタイプは、人体に気流感を与えない拡散型の床吹出口を備えるが、居住者の近傍に吹出口があると、冷房時に足元に吹き出された冷たい空気が床面付近に滞留して足元が冷え過ぎることがあり、床吹出口と居住者との距離に制約があると共に、オフィスレイアウトの変更等への対応も難しいという欠点がある。
【０００５】
他方、後者の全面床吹出タイプは、空調された空気をＯＡフロアの全面からゆっくりと吹き出す構造であるため、冷房時、身体に冷気を直接吹き付けることは無く、常に均一温度で気流感のない快適な空間を確保することが可能であり、長時間滞在している居住者に対して不快感を感じさせることはないが、一方では、外勤から戻った直後等のように、居住者がより一層の涼感を得たい場合には少々物足りなさを感じることもあった。
また、全面床吹出タイプにおいて、床面に個別の床吹出口を設けたものは、吹出口の開閉操作（風量・風向調節）が難しく、上述したグリルタイプと同様に足元からの冷気が気になる場合がある。
【特許文献１】特開２００１−０４１５５５号公報
【特許文献２】特開２００２−２４３２０４号公報
【発明の開示】
【発明が解決しようとする課題】
【０００６】
本発明は、上記した従来の床吹出空調の問題点に鑑み成されたもので、足元の冷え過ぎを防止でき、且つ、居住者直近の局所環境を効率良く空調することができる床吹出空調システムを提供することを目的としている。
【課題を解決するための手段】
【０００７】
すなわち、請求項１に記載の発明は、床と床スラブとの間の空間を給気チャンバとして利用し、空調機からの空調空気を前記床の床吹出口から吹き出して室内を空調する床吹出空調システムにおいて、前記床吹出口に立設され、前記給気チャンバ内の空調空気を室内に導入して局所を空調する吹出空調ユニットを備え、前記吹出空調ユニットは、空調空気を誘導する伸縮自在の給気ダクトと、当該給気ダクトの先端部に設けられた空調空気の吹出口と、前記床の下面に取り付け可能であって、縮み状態の前記給気ダクトを縦方向に収納する収納ケースとで構成されることを特徴としている。
【０００８】
また、請求項２に記載の発明は、請求項１に記載の床吹出空調システムにおいて、前記吹出口には、空調空気の風量と風向を調節する吹出調整機構が設けられていることを特徴としている。
【０００９】
また、請求項３に記載の発明は、請求項１または請求項２の何れかに記載の床吹出空調システムにおいて、前記吹出口には、空調空気の吹出風量を補うファンが設けられていることを特徴としている。
【００１０】
また、請求項４に記載の発明は、請求項１から請求項３までの何れかに記載の床吹出空調システムにおいて、前記収納ケースの上部開口に蓋が設けられ、且つ、当該蓋に通気孔が設けられていることを特徴としている。
【００１１】
また、請求項５に記載の発明は、請求項１から請求項４までの何れかに記載の床吹出空調システムにおいて、前記給気ダクトは、弾性部材により常時縮み状態に付勢されており、且つ、前記吹出口には、前記給気ダクトを什器に固定して伸張起立状態に保持する固定具が設けられていることを特徴としている。
【００１２】
また、請求項６に記載の発明は、請求項１から請求項５までの何れかに記載の床吹出空調システムにおて、前記床は、複数のフロアパネルから成るＯＡフロアであることを特徴としている。
【００１３】
また、請求項７に記載の発明は、請求項１から請求項６までの何れかに記載の床吹出空調システムにおいて、前記床の全面に空調空気を吹き出す多数の吹出孔を有することを特徴としている。
【発明の効果】
【００１４】
請求項１に記載の発明によれば、給気ダクトを伸縮・屈曲させて吹出口の位置を調節することにより、空調空気を直接居住者の顔や体等に吹き出させることができるため、足元の冷え過ぎを防止でき、且つ居住者の好みに応じた局所を効率良く空調することができる。
また、使用しない時は、小さく縮ませて床下の収納ケースに収納すことにより、居住者の邪魔にはならない。
【００１５】
また、請求項２に記載の発明によれば、吹き出し気流（空調空気）の風量や風向を吹出調整機構で調節することにより、空調のバリエーションを大幅に拡大することができ、居住者の好みに応じた環境設定ができる。
【００１６】
また、請求項３に記載の発明によれば、風量が不足している時は、使用者がファンを作動させて風量を補足することができる。
【００１７】
また、請求項４に記載の発明によれば、収納ケースに蓋を設けることにより、収納ケースに収納された給気ダクトの吹出口を保護することができる。また、蓋に通気孔が設けられているので、給気ダクトを収納した状態でも空調空気の吹き出しが可能であり、従来のグリルタイプの床吹出口として機能させることができる。吹き出し気流の風量や風向の調節は吹出調整機構により容易に行える。
【００１８】
また、請求項５に記載の発明によれば、固定具による什器への固定を解除することにより、給気ダクトが縮み状態に付勢されるため、使用しない時の給気ダクトの収納が容易に行える。また、給気ダクトの伸縮・屈曲は自在である。
【００１９】
また、請求項６に記載の発明では、吹出空調ユニットの設置位置は、床吹出口を有するフロアパネルを配置換えすることにより容易に変更可能である。
【００２０】
また、請求項７に記載の発明では、床全面より空調空気を吹き出す全面床吹出空調により、均一温度で気流感のない快適な空間を確保しつつ、居住者の好みに応じた局所を効率良く空調することができる。
【発明を実施するための最良の形態】
【００２１】
以下、図１〜図５に基づいて発明の実施形態を説明する。
図１は、床吹出空調システムに設けられた吹出空調ユニットの構成を示している。
【００２２】
図１中、符号１は床スラブを示し、この床スラブ１上に所定の間隔をおいてＯＡフロア２（床２）が配設されている。ＯＡフロア２は、角形のパネルブロックを平面上に多数敷設して成るものである。ＯＡフロア２と床スラブ１との間の空間を給気チャンバ３に用い、図示しない空調機より送られてくる空調空気（冷気または暖気）が、床下全域に供給されるようになっている。
【００２３】
ＯＡフロア２の適所には、床下の空調空気を吹出すための床吹出口４が設けられており、本実施形態の床吹出空調システムでは、この床吹出口４に筒状の吹出空調ユニット５が配設され、この吹出空調ユニット５を介して床下（給気チャンバ３内）を流通する空調空気を室内１０（居住域内）に吹き出しできるように構成されている。
【００２４】
吹出空調ユニット５は、空調空気を誘導する伸縮自在、屈曲自在の給気ダクト６と、この給気ダクト６を縮ませた状態（畳んだ状態）で収納可能な収納ケース８とで構成されている。
【００２５】
給気ダクト６の上端には、給気ダクト６により誘導された床下の空調空気を室内１０に吹き出す合成樹脂製の吹出口７が設けられ、この吹出口７に空調空気の風量と吹出し方向（風向）を調節するためのルーバ９（吹出調整機構９）が設けられている。
【００２６】
ルーバ９は、吹出口７に嵌め込まれ、中央を開口した回転板１１と、この回転板１１の開口を覆うように、鎧戸状に設けられた回動自在の複数整流板１２とで構成され、端部の調整つまみ１３を操作して整流板１２を開閉することで風量の調節が行え、また、回転板１１を回転させて整流板１２の向きを変えることで風向の調節ができるようになっている。
また、このルーバ９の下部（上流部）に吹出風量を補うための電池駆動式のファン１８が内蔵されていると共に、吹出口７の外側部には、給気ダクト６の先端部を什器（椅子や机等）に引っ掛けて固定するための固定具１５が設けられている。
【００２７】
給気ダクト６は、ナイロンやトリアセテート等の柔らかく薄い布地、或いは軟性樹脂膜、或いは和紙等の柔軟性のある素材を骨組となる弾性部材１４（例えば、コイルバネ１４）に接合することにより、外径８０ｍｍ程の伸縮自在、屈曲自在の筒状体に構成したもので、この筒状体はコイルバネ１４により常時縮み状態に付勢されている。
このような非自立型のダクトでは、先端部の吹出口７に設けたフック１５を図示しない椅子や机等に引っ掛けて給気ダクト６を伸張起立状態に保持するようにする。固定具１５としては、フックによる引っ掛けの他、磁石を用いて金属面に固定することもできる。
【００２８】
固定具１５を什器から取り外すと、コイルバネ１４の復帰力により給気ダクト６は速やかに縮み状態（収納時の形状）に付勢される。尚、ダクトの素材が適度の収縮性を有する場合は、骨組みとダクト素材を接合せずにフリーな状態にしてダクトの収縮性を利用して縮ませることが可能である。
【００２９】
また、給気ダクト６の素材として、図４に示すような伸縮可能な合成樹脂製の蛇腹ホースを用いると、ある程度の形状保持が可能な自立型のダクトを構成することができる。
この給気ダクト６の径や縮み状態の長さは、図１に示す非自立型のダクトと同等としており、給気ダクト６の基端部を収納ケース８の底部に取り付けることにより、非自立型、自立型の何れの給気ダクト６でも使用することができる。これらの給気ダクト６は、着席時に人体の頭部付近に空調空気を吹き出すことができるように、床から１．２ｍ程度まで伸張可能となっている。
【００３０】
収納ケース８は、縮ませた状態の給気ダクト６（吹出口７を含む）を縮み方向を縦にして収納できる深さ８０ｍｍ程の金属製、合成樹脂製の有底円筒状のケースであって、図１（ｂ）に示すように、床吹出口４に上部開口縁部を嵌め込むことにより、ＯＡフロア２の下面に吊着状態で設置することができる。
【００３１】
また、この収納ケース８の側部と底部は、床下にあってケース内に空調空気が流通し易いよう、金属メッシュ、或いは、図２に示すような金属フレームで構成されおり、上部開口には、収納されている給気ダクト６の吹出口７を保護する開閉自在の蓋１６（２０）が設けられている。
【００３２】
蓋は、図３（ａ）に示す密封型の蓋１６と、図３（ｂ）に示す格子状の通気孔１７を設けた吹出グリル型の蓋２０とがあり、何れかを選択して取り付けることができる。尚、吹き出しグリル型は、吹出口７のルーバ９を開放しておくことにより、給気ダクト６を収納した状態で空調空気の吹き出しが可能となる。また、給気ダクト６を使用する場合は、図１（ｃ）の示すように、収納ケース８の蓋２０（１６）を開けて縮み状態で収納されている給気ダクト６を引き出して伸張・起立させる。
【００３３】
上記構成の吹出空調ユニット５は、図５に示すように、給気ダクト６を伸縮・屈曲させて吹出口７を任意の位置に設定し、吹き出し気流を直接居住者の顔や体等に吹き出させることができる。これにより、足元の冷え過ぎを防止でき、且つ居住者の好みに応じた局所を効率良く空調することができる。
この際、ルーバ９により吹き出し気流の風量や風向を調節することにより、局所的空調のバリエーションを大幅に拡大することができ、且つ、風量が不足している時は、使用者がファン１８を作動して風量を補足することができるため、居住者の好みに応じたパーソナル的な環境設定ができる。
【００３４】
また、吹出空調ユニット５を使用しない時は、図１（ｂ）に示すように、小さく縮ませて床下の収納ケース８に収納すことができるため、居住者の邪魔になることはなく、且つ、収納後は蓋１６（２０）をしておけば、給気ダクト６の吹出口７が人に踏まれて破損するといった不都合は起こらない。
また、蓋２０には通気孔１７が設けられているので、収納ケース８から給気ダクト６を引き出さず収納した状態で空調空気を吹き出させることができ、従来のグリルタイプの床吹出口４として機能させることができる。尚、この場合も、吹き出し気流の風量や風向は、吹出口７のルーバ９により自在に調節できる。
【００３５】
また、本実施形態による吹出空調ユニット５は、空調空気をＯＡフロアの全面に設けた多数の吹出孔（図示せず）から吹き出して室内を空調する全面床吹出タイプの空調にも適用可能であり、全面床吹出空調による均一温度で気流感のない快適な空間を確保しつつ、当吹出空調ユニット５によって、居住者の好みに応じた局所を効率良く空調することができる。
【００３６】
次に、図６、図７は吹出空調ユニット５と別の実施形態を示している。
尚、説明を簡略化するため、以下の説明において上述の実施形態と共通する部分（部材）については同一の符号を用いた。
【００３７】
図６に示すように、本実施形態の吹出空調ユニット２５は、図１と同様、床下の給気チャンバ３より空調空気を誘導する伸縮自在の給気ダクト２６と、この給気ダクト２６の上端に設けた吹出口２７と、給気ダクト２６を縮ませた状態で縦方向に収納可能な収納ケース２８とで構成され、ＯＡフロア２の床吹出口４に立設されて使用されるものである。
【００３８】
給気ダクト２６は、合成樹脂等で成る帯状部材を螺旋状に接合して自立可能な筒状としたものである。接合部１９は、例えば、図７（ａ）〜（ｃ）に示すような摺動自在の係合機構を採用することができる。
給気ダクト２６は、着席時に人体の頭部付近に空調空気を吹き出すことができるように、床から１．２ｍ程度まで伸張可能である。
【００３９】
図６（ｄ）において、吹出口２７の正面図（イ）に示すように、吹出口２７の内部には半円形の空洞が形成され、この空洞内に回転自在の回転筒２３が設けられている。この回転筒２３を回転操作して側方に開口した半円形の開口部２４を開閉することにより、吹き出し気流の風向と風量を調節することができる。吹出口２７の側面図（ロ）は、開口部２４を全開した状態を示し、側面図（ハ）は、開口部２４を閉じた状態を示している。尚、図示しないが、この回転筒２３の下部（上流部）に吹出風量を補うための電池駆動式のファンを内蔵することも可能である。
【００４０】
吹出空調ユニット２５を使用しない時は、図６（ａ）に示すように、螺旋状の給気ダクト２６を小さく巻いて筒状の収納ケース２８に収納し、床下（床スラブ１上）に保管しておく。この際、給気ダクト２６の吹出口２７が床吹出口４の蓋を兼ねる。
【００４１】
収納ケース２８の底縁部には、相対向する一対の支持片２１、２１が設けられ、他方、ＯＡフロア２下面の床吹出口４の周部には、上記支持片２１を掛止可能なＬ形の引掛金具２２が取り付けられている。
吹出空調ユニット２５を使用する時は、図６（ｂ）に示すように、床下より給気ダクト２６を収納した収納ケース２８を引き上げて回転し、引掛金具２２に収納ケース２８の支持片２１を掛止して収納ケース２８をＯＡフロア２の床吹出口４に取り付ける。この状態で図６（ｃ）のように、螺旋状に巻かれた給気ダクト２６を引き出して所望の寸法に伸張させる。
【００４２】
以上、本実施形態の吹出空調ユニット２５もまた、給気ダクト２６を伸縮させて吹出口２７を任意の位置に設定することにより、空調空気を直接居住者の顔や体等に吹き出させることができるため、足元の冷え過ぎを防止でき、且つ、居住者の好みに応じた局所を効率良く空調することができるものであり、勿論、上述した全面床吹出タイプの空調にも適用可能である。
【図面の簡単な説明】
【００４３】
【図１】本発明による吹出空調ユニットの構成を示す断面図で、（ａ）は給気ダクトが伸張された状態を示し、（ｂ）は給気ダクトが収納された状態を示し、（ｃ）は給気ダクトが引き出される状態を示している。
【図２】図１とは別の収納ケースを示す斜視図。
【図３】（ａ）、（ｂ）は収納ケースの蓋の例を示す斜視図、（ｃ）は開蓋状態を示す斜視図。
【図４】図１とは別の給気ダクトの例を示す図。
【図５】給気ダクトを伸縮・屈曲させた状態を示す図。
【図６】図１とは別の吹出空調ユニットの構成を示す断面図で、（ａ）は給気ダクトが収納された状態を示し、（ｂ）は収納ケースを床吹出口に取り付ける状態を示し、（ｃ）は給気ダクトが引き出される状態を示し、（ｄ）は給気ダクトが伸張された状態を示している。
【図７】（ａ）〜（ｃ）は給気ダクトの接合部の構造例を示す断面図。
【符号の説明】
【００４４】
１  床スラブ
２  床（ＯＡフロア）
３  給気チャンバ
４  床吹出口
５、２５  吹出空調ユニット
６、２６  給気ダクト
７、２７  吹出口
８、２８  収納ケース
９  空気調整機構（ルーバ）
１０  室内
１４  弾性部材（コイルバネ）
１５  固定具（フック、磁石）
１６、２０  蓋
１７  通気孔
１８  ファン
【図１】
2008032255.tif 000003
【図２】
2008032255.tif 000004
【図３】
2008032255.tif 000005
【図４】
2008032255.tif 000006
【図５】
2008032255.tif 000007
【図６】
2008032255.tif 000008
【図７】
2008032255.tif 000009